(57)【要約】【課題】複雑な設定作業を伴うことなく、適切に伝言メッセージを再生する伝言メッセージ再生システムを提供する。【解決手段】居住者の所持する電子キー２６の認証により帰宅した際に再生端末３１により伝言メッセージが再生される。その後、居住者の住宅内の移動に伴い、伝言メッセージが再生される場所も移動する。例えば、居住者が再生端末３２の設置された場所にいる場合、居住者により伝言メッセージを再生するための音声コマンドがマイク３２１を通じて入力される。これにより、再生端末３２の設置場所に居住者がいると判断され、再生端末３２の場所における伝言メッセージの優先度に基づき、伝言メッセージの再生順序が自動で並び替えられた後、再生端末３２より伝言メッセージが再生される。【選択図】      図２
2019121827.tif 000002
【特許請求の範囲】
【請求項１】
伝言メッセージが登録されるメッセージ登録手段と、
前記伝言メッセージを再生するメッセージ再生手段と、
住居内における人の位置を検知するための位置検知手段と、
前記位置検知手段により人の存在が検知された場合に、前記登録された伝言メッセージが再生されるよう制御するメッセージ制御手段と、を備え、
前記メッセージ制御手段は、前記位置検知手段により検知された人の位置から判断される伝言メッセージの優先度に基づき、前記伝言メッセージの再生順序を並び替えるメッセージ再生順序ソート手段を備える、伝言メッセージ再生システム。
【請求項２】
前記伝言メッセージを前記住居内の場所と関連づけるためのキーワードと、
前記位置検知手段により検知される位置における前記伝言メッセージの優先度を算出するための前記キーワードの重み付け値と、が設定され、
前記メッセージ再生順序ソート手段は、前記キーワードが含まれる伝言メッセージについて、そのキーワードの重み付け値に基づいて前記位置検知手段により検知される位置における優先度を決定する、請求項１に記載の伝言メッセージ再生システム。
【請求項３】
前記住居内で個々の居住者を認証するための認証手段を備え、
前記メッセージ制御手段は、前記個々の居住者に対応させて前記伝言メッセージが登録され、前記認証手段による認証に基づいて、前記認証された居住者に対応させた伝言メッセージが再生されるよう制御する、請求項１または２に記載の伝言メッセージ再生システム。
【請求項４】
前記認証手段は、音声データ記憶手段により記憶された音声データに基づいて音声認識を行う音声認識手段を備え、
前記位置検知手段は、前記音声認識のための音声が入力された場所を前記住居内における人の位置とする、請求項３に記載の伝言メッセージ再生システム。
【請求項５】
前記メッセージ制御手段は、前記位置検知手段によりその位置で人が検知されなくなった場合に前記伝言メッセージの再生を停止する、請求項１〜４のいずれか１項に記載の伝言メッセージ再生システム。
【請求項６】
前記メッセージ制御手段は、
再生済みの伝言メッセージと、未再生の伝言メッセージとを区分し、
前記位置検知手段により人の存在が検知された場合に、前記メッセージ再生順序ソート手段により並び替えられた順序に従って、前記未再生の伝言メッセージのみを再生する、請求項１〜５のいずれか１項に記載の伝言メッセージ再生システム。
【発明の詳細な説明】
【技術分野】
【０００１】
本発明は、居住者に対してメッセージの再生を行う伝言メッセージ再生システムに関するものである。
【背景技術】
【０００２】
住宅内でのメッセージ再生システムにおいて、登録されたメッセージが再生される際にユーザの要望の度合いが相対的に低いメッセージの再生を抑制する技術が知られている（例えば特許文献１）。
【先行技術文献】
【特許文献】
【０００３】
【特許文献１】特開２０１６−９９５７５号公報
【発明の概要】
【発明が解決しようとする課題】
【０００４】
しかしながら、上記した従来のシステムでは、住宅内に配置されたメッセージ再生の装置ごとに予めユーザの操作により優先度の設定が必要であり、その設定作業が煩雑であった。
【０００５】
本発明は、上記事情に鑑みてなされたものであり、複雑な設定作業を伴うことなく、適切に伝言メッセージを再生する伝言メッセージ再生システムを提供することを目的とする。
【課題を解決するための手段】
【０００６】
上記課題を解決すべく、第１の発明の伝言メッセージ再生システムは、
伝言メッセージが登録されるメッセージ登録手段と、
前記伝言メッセージを再生するメッセージ再生手段と、
住居内における人の位置を検知するための位置検知手段と、
前記位置検知手段により人の存在が検知された場合に、前記登録された伝言メッセージが再生されるよう制御するメッセージ制御手段と、を備え、
前記メッセージ制御手段は、前記位置検知手段により検知された人の位置から判断される伝言メッセージの優先度に基づき、前記伝言メッセージの再生順序を並び替えるメッセージ再生順序ソート手段を備えることを特徴とする。
【０００７】
第１の発明によれば、居住者の住居内の位置により判断される伝言メッセージの優先度に基づいて、伝言メッセージの再生順序が自動で並び替えられる。伝言メッセージの内容によっては、住居内の特定の場所で伝達されることがより有効な伝達方法である場合がある。第１の発明によれば、伝言メッセージの内容からその伝言メッセージを伝達するのに適した場所（すなわち、優先度）が居住者のいる位置に基づき判断され、伝言メッセージの再生順序が並び替えられて再生される。これにより、複雑な設定作業を伴うことなく、適切に伝言メッセージを再生することができる。
【０００８】
第２の発明の伝言メッセージ再生システムは、第１の発明において、
前記伝言メッセージを前記住居内の場所と関連づけるためのキーワードと、
前記位置検知手段により検知される位置における前記伝言メッセージの優先度を算出するための前記キーワードの重み付け値と、が設定され、
前記メッセージ再生順序ソート手段は、前記キーワードが含まれる伝言メッセージについて、そのキーワードの重み付け値に基づいて前記位置検知手段により検知される位置における優先度を決定することを特徴とする。
【０００９】
第２の発明によれば、伝言メッセージを住居内の場所と関連づけるためのキーワードが複数設定されており、キーワードごとに住居内の再生場所の優先度を算出するための重み付け値が設定されている。これにより、居住者の住居内での位置に基づき、伝言メッセージの内容と照らし合わせて伝言メッセージの優先度を決定し、伝言メッセージの再生順序を並べ替えることができる。よって、その場所で居住者に伝達した方がより効果的であると判断される伝言メッセージから優先的に伝達することができる。
【００１０】
第３の発明の伝言メッセージ再生システムは、第１または第２の発明において、
前記住居内で個々の居住者を認証するための認証手段を備え、
前記メッセージ制御手段は、前記個々の居住者に対応させて前記伝言メッセージが登録され、前記認証手段による認証に基づいて、前記認証された居住者に対応させた伝言メッセージが再生されるよう制御することを特徴とする。
【００１１】
第３の発明によれば、個々の居住者に対応する伝言メッセージが登録でき、その居住者に対応する伝言メッセージが、その居住者の位置に基づきメッセージ再生順序ソート手段により並び替えられた順序に従って再生され伝達されうる。
【００１２】
第４の発明の伝言メッセージ再生システムは、第３の発明において、
前記認証手段は、音声データ記憶手段により記憶された音声データに基づいて音声認識を行う音声認識手段を備え、
前記位置検知手段は、前記音声認識のための音声が入力された場所を前記住居内における人の位置とすることを特徴とする。
【００１３】
第４の発明によれば、音声認識のための音声を入力することで、居住者の識別が実施されるとともに、音声の入力された場所に居住者が存在していることが判断されうる。すなわち、音声認識手段は、音声認識と同時に位置検知手段として作用しうる。よって、音声入力により居住者の認証と居住者の位置検知との２つが同時に実施されるため、利便性に優れる。
【００１４】
第５の発明の伝言メッセージ再生システムは、第１〜４の発明のいずれかにおいて、
前記メッセージ制御手段は、前記位置検知手段によりその位置で人が検知されなくなった場合に前記伝言メッセージの再生を停止することを特徴とする。
【００１５】
第６の発明の伝言メッセージ再生システムは、第１〜５の発明のいずれかにおいて、
前記メッセージ制御手段は、再生済みの伝言メッセージと、未再生の伝言メッセージとを区分し、前記位置検知手段により人の存在が検知された場合に、前記メッセージ再生順序ソート手段により並び替えられた順序に従って、前記未再生の伝言メッセージのみを再生することを特徴とする。
【００１６】
第５の発明によれば、伝言メッセージがその場にいる居住者に対して再生されている途中で居住者がその場から立ち去った場合、伝言メッセージの再生が停止する。第６の発明によれば、再生済みの伝言メッセージが再生の対象から除外され、伝言メッセージの優先度に従った順序で、未再生の伝言メッセージを対象として伝言メッセージが再生される。
【００１７】
第５及び第６の発明により、次の伝言メッセージの再生時において、伝言メッセージの重複した再生が回避できるだけでなく、その場で伝達するのが最適である伝言メッセージが再生されやすくなる。
【００１８】
例えば、再生対象の伝言メッセージが複数ある場合において、ある再生場所で、その場の優先度（重み付け値）の高い伝言メッセージがまず再生され、その次にその場での優先度が比較的低い伝言メッセージが再生される。居住者がその優先度の高い伝言メッセージのみ聞いてその再生場所を立ち去った場合、伝言メッセージの再生は停止され、その場での優先度の比較的低い伝言メッセージは「未再生の伝言メッセージ」として区分される。そして、その場で優先度の比較的低かった伝言メッセージは、次の再生場所において優先度（重み付け値）の高い伝言メッセージとなる場合がある。この場合、この伝言メッセージは先の再生場所よりも次の再生場所で伝達される方が居住者にとって有効性が高いといえる。
【００１９】
したがって、第５及び第６の発明によれば、居住者が伝言メッセージの再生場所から立ち去った場合、伝言メッセージの再生を停止し、再生済みの伝言メッセージについては再生対象から除外する。これにより、次の再生場所において伝言メッセージを重複して聞くことなく、伝言メッセージがその内容に基づいてより有効な伝達方法（再生場所）で再生されやすい。
【図面の簡単な説明】
【００２０】
【図１】住宅の一階部分の間取りレイアウトを簡略に示す図。
【図２】伝言メッセージ再生システムに関する構成を示す概略図。
【図３】コントローラの記憶部に備えられた重み付け記憶エリアの記憶内容を示す概念図。
【図４】図４（ａ）はコントローラの記憶部に登録されたＩＤコードの一例を示す図、図４（ｂ）は伝言メッセージ再生システムで用いられる伝言メッセージテーブルの構成の一例を示す図。
【図５】伝言メッセージ再生システムの玄関に設けられた再生端末でのメッセージ再生の流れを示すフローチャート。
【図６】伝言メッセージ再生システムの住居内に設けられた再生端末でのメッセージ再生の流れを示すフローチャート。
【発明を実施するための形態】
【００２１】
以下、本発明の伝言メッセージ再生システム２０の実施の形態について図面に基づいて説明する。
【００２２】
図１はその伝言メッセージ再生システム２０が設けられた住宅１０の一階部分１１の概略を示す概略である。なお、本実施形態では、住宅１０に、居住者として両親（父親及び母親）とその子供（二人）とが居住していることを想定している。
【００２３】
図１に示すように、一階部分１１には、部屋として、玄関１２、リビング１３、ダイニング１４、キッチン１５、子供部屋１６（子供用寝室）及び洗面室１７が設けられている。玄関１２には玄関口２１が設けられており、その玄関口２１には玄関ドア２２が設けられている。玄関ドア２２には、当該ドア２２を施解錠する施錠装置２３が設けられている。施錠装置２３は、玄関ドア２２を電気的に施解錠する電気錠からなる。施錠装置２３は、居住者が所持する電子キー２６（図２参照）による電子キー認証により施解錠することが可能となっている。電子キー認証のための構成として、通信装置２５とコントローラ５０（図２参照）とが設けられている。
【００２４】
通信装置２５は、玄関ドア２２付近の屋外側（玄関ドア２２の屋外側の面でも可）に設けられている。通信装置２５はコントローラ５０と電気的に接続されている。通信装置２５は、コントローラ５０によりその出力電波が制御され、無線通信用の通信エリアが所定の範囲に制御される。図１に示されるように、通信装置２５における無線通信用の通信エリアＣＡは、平面視において通信装置２５を中心とする円形の所定エリアとなっている。
【００２５】
玄関ドア２２の屋内側の面には、玄関ドア２２の開閉を検知するための開閉検知センサ２７が設けられている。
【００２６】
玄関１２（玄関口２１より屋内側）には、伝言メッセージの再生をするための再生端末３１（例えば、玄関１２の壁面）と、人感センサ４１（例えば、玄関１２の天井面）とが設けられている。人感センサ４１は、玄関口２１から住宅１０内に入った位置に設けられ、玄関１２付近（玄関口２１より屋内側）における人の存在を検出するように構成されている。図１に示すように、玄関ドア２２の閉鎖時においては、人感センサ４１は住宅１０の内側のみを検出エリアＤＡ１とするように配置位置及び検出範囲が設定されている。
【００２７】
リビング１３には、再生端末３２（例えば、リビング１３の壁面）と、人感センサ４２（例えば、リビング１３の天井）とが設置されている。人感センサ４２は、リビング１３に入った位置に設けられ、リビング１３における人の存在を検出するように構成されている。図１に示すように、人感センサ４２はリビング１３を検出エリアＤＡ２とするように配置位置及び検出範囲が設定されている。
【００２８】
キッチン１５には、再生端末３３（例えば、キッチン１５の壁面）と、人感センサ４３（例えば、キッチン１５の天井）とが設置されている。人感センサ４３は、キッチン１５に入った位置に設けられ、キッチン１５における人の存在を検出するように構成されている。図１に示すように、人感センサ４３はキッチン１５を検出エリアＤＡ３とするように配置位置及び検出範囲が設定されている。
【００２９】
洗面室１７には、再生端末３４（例えば、洗面室１７の壁面）と、人感センサ４４（例えば、洗面室１７の天井）とが設置されている。人感センサ４４は、洗面室１７に入った位置に設けられ、洗面室１７における人の存在を検出するように構成されている。図１に示すように、人感センサ４４は洗面室１７を検出エリアＤＡ４とするように配置位置及び検出範囲が設定されている。
【００３０】
図２は、伝言メッセージ再生システム２０の実施形態における伝言メッセージの再生制御に関する構成を示す概略図である。
【００３１】
コントローラ５０は、ＣＰＵやメモリ等を有するマイクロコンピュータを備えるものである。コントローラ５０は、少なくとも、施解錠の制御や、伝言メッセージの再生を制御する制御部５１と、電子キー認証のためのＩＤ情報、後述する音声認識のための音声情報、伝言メッセージに関する事項や各種センサ類からの検知結果等を記憶する記憶部５２と、音声による居住者の識別や伝言メッセージシステムの操作を実施するための音声認識部５３と、文字データからなる伝言メッセージを音声読み上げするための音声読み上げ部５４と、時間を計測する場合に用いられるタイマ５５とを有している。
【００３２】
記憶部５２には、伝言メッセージに関する事項を記憶するための構成として、伝言メッセージの再生順序を決定するためのキーワードを記憶する重み付け記憶エリア５２１と、各種のメッセージデータからなる伝言メッセージテーブルＴを格納するメッセージ記憶エリア５２２と、が備えられている。音声認識部５３には、音声により個々の居住者を識別するための話者認識部５３１と、音声により伝言メッセージシステムを操作するための音声操作部５３２とが備えられている。音声読み上げ部５４は、制御部５１からの指示に基づいて、伝言メッセージテーブルＴに記憶された文字データからなる伝言メッセージを音声に変換する。音声化された伝言メッセージは後述する複数の再生端末３１，３２，３３，３４のスピーカ３１２，３２２，３３２，３４２のいずれかより再生される。
【００３３】
電子キー２６は、電子キー２６毎に固有のＩＤ情報を記憶するメモリ（図示略）を備えており、コントローラ５０からの要求に応じてＩＤ情報を送信する。ここで、通信装置２５は、リクエスト信号を所定の時間周期で送信するのに対し、電子キー２６は、通信装置２５の通信エリアＣＡに進入してリクエスト信号を受信すると、そのリクエスト信号に応答してＩＤ情報を通信装置２５に送信する。そして、ＩＤ情報が通信装置２５により受信されると、当該ＩＤ情報が通信装置２５からコントローラ５０に入力される。コントローラ５０は、通信装置２５を介して電子キー２６からのＩＤ情報が入力されると、当該ＩＤ情報と予め記憶部５２に登録されたＩＤ情報との一致判定を行い、正規のキーであるか否かの認証を行う。
【００３４】
そして、玄関ドア２２の屋外側の面に設けられたドアノブ（図示せず）にタッチセンサが内蔵され、上記ＩＤ情報によって電子キー２６が正規認証されている状況において、電子キー２６を携帯した居住者がドアノブに触れると施錠又は解錠が行われる。
【００３５】
例えば、当該形態における施錠装置２３では、施錠装置２３が解錠された状態で、電子キー２６を携帯した居住者がドアノブに触れると、施錠装置２３が施錠される。また、施錠装置２３が施錠されている状態で、電子キー２６を携帯した居住者がドアノブに触れると、施錠装置２３は解錠される。タッチセンサは、例えば、静電容量タッチセンサである。電子キー２６が正規のものに該当しない場合には、施錠装置２３の施解錠は行われない。
【００３６】
開閉検知センサ２７はコントローラ５０へ接続され、コントローラ５０には開閉検知センサ２７から逐次検知結果が入力される。開閉検知センサ２７からの検知結果に基づいて、玄関ドア２２の開閉状態を判定し、玄関ドア２２が開いてその後閉状態とされたと判定した場合に、帰宅した居住者が玄関１２（玄関ドア２２より屋内側）へ進入したと判断される。なお、玄関ドア２２が閉状態とされたと判定した場合に施錠装置２３により玄関ドア２２が自動で施錠（オートロック）される。
【００３７】
玄関１２に設けられた再生端末３１は、少なくとも、伝言メッセージの録音のためのマイク３１１と、ガイドメッセージや伝言メッセージの再生のためのスピーカ３１２と、伝言メッセージの登録や再生の際に操作するための操作部３１３と、ガイドメッセージや伝言メッセージの表示や操作部３１３により選択・入力される事項の表示等のための表示部３１４と、を備えている。
【００３８】
リビング１３に設けられた再生端末３２、キッチン１５に設けられた再生端末３３及び洗面室１７に設けられた再生端末３４についても、再生端末３１と同様に、それぞれマイク３２１，３３１，３４１、スピーカ３２２，３３２，３４２、操作部３２３，３３３，３４３と、表示部３２４，３３４，３４４と、が備えられている。
【００３９】
再生端末３１，３２，３３，３４には、伝言メッセージの再生を停止するための停止ボタン３１５，３２５，３３５，３４５、伝言メッセージを登録するための録音ボタン３１６，３２６，３３６，３４６、伝言メッセージがある場合に点滅して通知する表示灯３１７，３２７，３３７，３４７が設けられている。
【００４０】
本実施形態では、未再生の伝言メッセージがある場合、伝言メッセージがあることを通知するために表示灯３１７，３２７，３３７，３４７を点滅させる。なお、本実施形態では、伝言メッセージが登録されている場合、伝言メッセージの受信者に関係なく、表示灯３１７，３２７，３３７，３４７が点滅する。よって、その表示灯３１７，３２７，３３７，３４７の点滅を認識した居住者に、自己に向けた伝言メッセージがあるかどうかの確認を促すことができる（図６参照）。そして、その居住者への伝言メッセージがある場合は、居住者が伝言メッセージを再生するための音声コマンドを発することで伝言メッセージが再生される。伝言メッセージがすべて再生された場合は、表示灯３１７，３２７，３３７，３４７は消灯される。
【００４１】
再生端末３１，３２，３３，３４はコントローラ５０へ接続され、制御部５１からの指示に基づいて伝言メッセージの再生を実施する。また、コントローラ５０には、再生端末３１，３２，３３，３４に設けられたマイク３１１，３２１，３３１，３４１から吹き込まれる音声情報、及び操作部３１３，３２３，３３３，３４３からの操作内容が逐次入力される。
【００４２】
人感センサ４１，４２，４３，４４はコントローラ５０へ接続され、コントローラ５０には人感センサ４１，４２，４３，４４から逐次検知結果が入力される。コントローラ５０は、人感センサ４１，４２，４３，４４からの検知結果に基づいて、人感センサ４１，４２，４３，４４のそれぞれの検出エリアＤＡ１，ＤＡ２，ＤＡ３，ＤＡ４内における人の存在の有無を判定する。
【００４３】
伝言メッセージ再生システム２０では、住宅１０の居住者が帰宅した際にまず玄関１２で伝言メッセージが再生される。本実施形態では、玄関１２における帰宅した居住者の識別には、予め記憶部５２に登録された電子キー２６の固有のＩＤ情報を利用する。すなわち、電子キー２６の固有のＩＤ情報を、携帯する居住者に対応させてそれぞれコントローラ５０に登録する。これにより、外出先から居住者が帰宅した際、玄関ドア２２の解錠のために通信装置２５を通じて実施される電子キー２６の認証により、帰宅した居住者の特定が同時に実施される。
【００４４】
その後、帰宅した居住者は玄関１２より住宅１０内の各部屋へ移動する。居住者の住宅１０内の移動に伴い、伝言メッセージが再生される場所も移動する。伝言メッセージ再生システム２０では、住居内での居住者の位置を検知するための位置検知手段が設けられる。本実施形態では、位置検知手段として、伝言メッセージが再生される再生端末３１，３２，３３，３４を利用する。すなわち、居住者が再生端末３１，３２，３３，３４が設置された場所にいる場合、再生端末３１，３２，３３，３４（マイク３１１，３２１，３３１，３４１）に向かって、伝言メッセージを再生するための音声コマンド（例えば、「メッセージ  再生」）を発する。これにより、音声コマンドの入力された再生端末３１，３２，３３，３４の設置場所に居住者がいると判断され、伝言メッセージの再生場所が決定する。
【００４５】
本実施形態では、音声コマンドの入力の際に、同時に話者認証を行う。すなわち、再生端末３１，３２，３３，３４に設けられたマイク３１１，３２１，３３１，３４１により音声コマンドが吹き込まれると、話者認識部５３１はその音声コマンドの音声について記憶部５２に予め登録された音声情報と一致判定を行い、音声コマンドの入力者の識別（認証）を行う。これにより、伝言メッセージの受信者が決定される。なお、本実施形態では、音声情報はＩＤコードに対応づけられているため、本実施形態ではＩＤコードで伝言メッセージを管理する。
【００４６】
伝言メッセージは、文字データ又は音声データのいずれかである。伝言メッセージは、再生端末３１，３２，３３，３４に設けられたマイク３１１，３２１，３３１，３４１への音声吹き込み、又は再生端末３１，３２，３３，３４に設けられた操作部３１３，３２３，３３３，３４３の操作により、後述の伝言メッセージテーブルＴ（図４（ｂ）に図示）に登録される。なお、以下では、音声データからなる伝言メッセージを単に「音声メッセージ」、文字データからなる伝言メッセージを単に「文字メッセージ」と称する場合がある。
【００４７】
音声メッセージを登録する場合、再生端末３１，３２，３３，３４に設けられた録音ボタン３１６，３２６，３３６，３４６が押されることにより、伝言メッセージ登録モードの開始の操作として受け付けられる。
【００４８】
録音ボタン３１６，３２６，３３６，３４６を押した後に、操作された再生端末３１，３２，３３，３４のマイク３１１，３２１，３３１，３４１に音声を吹き込むと、吹き込まれた音声が記憶部５２に登録された音声か否かが話者認識部５３１により認証されて、伝言メッセージの送信者が識別される。そして、録音開始時に受信者の登録名（例えば、「お父さん」、図４（ａ）を参照）を吹き込んだ場合、音声操作部５３２により音声コマンドとして受信者の認証が実施され、伝言メッセージの受信者が登録される。録音開始時に受信者となる登録名が吹き込まれなかった場合は、居住者全員が受信者とされる。
【００４９】
その後、吹き込まれた伝言メッセージは、認証された送信者及び受信者に対応させて、伝言メッセージテーブルＴに登録される。
【００５０】
文字メッセージを登録する場合は、操作部３１３，３２３，３３３，３４３の操作により伝言メッセージ登録モードを開始させるための操作を受け付けた後、送信者及び受信者について、記憶部５２に予め登録されているＩＤコードのいずれかを選択させる。
【００５１】
送信者及び受信者の選択の後、例えば、「伝言メッセージを入力してください」といったガイドメッセージを、操作された再生端末３１，３２，３３，３４の表示部３１４，３２４，３３４，３４４に表示させる。そして、該当する操作部３１３，３２３，３３３，３４３の操作により伝言メッセージの入力に対して待機し、その後、伝言メッセージが操作部３１３，３２３，３３３，３４３により入力されたときには、入力された伝言メッセージを予め選択されているＩＤコードに対応させて、伝言メッセージテーブルＴに登録する。
【００５２】
そして、操作部３１３，３２３，３３３，３４３の操作により、伝言メッセージ登録モードの終了を指示するための操作を受け付けたときには、伝言メッセージ登録モードを終了する。
【００５３】
伝言メッセージ再生システム２０において、コントローラ５０は、ネットワークＮを介して伝言メッセージサーバ８０に接続されている。本実施形態では、伝言メッセージは、上述のように再生端末３１，３２，３３，３４を用いてコントローラ５０の記憶部５２に登録される他、携帯電話端末８１や住宅１０で利用しているパソコン端末８２等からネットワークＮを介して伝言メッセージサーバ８０に登録される。
【００５４】
伝言メッセージサーバ８０は、図示しない制御手段（ＣＰＵ）、記憶手段（ＲＯＭ、ＲＡＭ、ハードディスク等）等を有するコンピュータであり、各種プログラムを実行することにより、少なくとも文字データ又は音声データのいずれかである伝言メッセージの送受信等の制御が行なわれる。そして、伝言メッセージサーバ８０が携帯電話端末８１又はパソコン端末８２から送信された伝言メッセージを受信すると、伝言メッセージサーバ８０によりその伝言メッセージはコントローラ５０に対して送信される。伝言メッセージサーバ８０により受信した伝言メッセージは、コントローラ５０の記憶部５２に設けられたメッセージ記憶エリア５２２に登録される。
【００５５】
伝言メッセージサーバ８０にユーザである居住者等が携帯電話端末８１又はパソコン端末８２から送信するメッセージは、メッセージである文字データ又は音声データに加えて、送信者であるユーザのＩＤ情報及びメッセージの受信者であるユーザのＩＤ情報を含む。送信者及び受信者の各々のＩＤ情報は、携帯電話端末８１又はパソコン端末８２から直接タイプしてもよいが、メッセージ送信用の専用アプリ等を用いることにより、メッセージの送信作業を簡略化することが望ましい。
【００５６】
例えば、携帯電話端末８１又はパソコン端末８２に、住宅１０の居住者等のユーザの氏名及びＩＤ情報等を予め記憶させておき、上述の専用アプリを起動すると、記憶しているユーザのリストが携帯電話端末８１又はパソコン端末８２の画面に表示され、表示されたリストから選択したユーザ（複数同時選択可）に対するメッセージを伝言メッセージサーバ８０に登録できるようにしてもよい。
【００５７】
伝言メッセージサーバ８０では、専用アプリを用いて送信されてきたメッセージから送信者のＩＤ情報及び受信者のＩＤ情報を抽出して、メッセージの文字又は音声データと対応付けて各種のメッセージデータからなる伝言メッセージテーブル（図示せず、コントローラ５０の伝言メッセージテーブルＴに対応するものである）として登録する。
【００５８】
コントローラ５０は、ネットワークＮを通じて伝言メッセージサーバ８０にアクセスして、常に更新された伝言メッセージを、コントローラ５０の記憶部５２にアップロードして登録させる。なお、コントローラ５０は、メッセージを受け取るユーザである居住者が施錠装置２３を解錠し、玄関ドア２２を開閉した際に、伝言メッセージサーバ８０に登録されているメッセージをネットワークＮを介して取得することにしてもよい。
【００５９】
また、伝言メッセージ再生システム２０は、パソコン端末８２のメールシステム８３と連動して利用される。メールシステム８３に受信されるメールのうち、伝言メッセージ再生システム２０で再生されるメールが識別され、当該識別されたメールはネットワークＮを介して伝言メッセージサーバ８０に転送される。
【００６０】
図２のメールシステム８３における父のメール受信箱８４に示されるように、伝言メッセージ再生システム２０で再生されるメールに対しては、件名に「［伝言］」と表記する。これにより、メールシステム８３に受信されたメールのうち、件名に「［伝言］」と表記された未読メールが抽出される。図２のメールシステム８３の父のメール受信箱８４においては、「未読  ［伝言］明日の持ち物」、「未読  ［伝言］録音メッセージ」が転送される。送信者及び受信者のメールアドレスはそれぞれ対応するＩＤ情報を予め記憶させておき、対応するＩＤ情報が送信者及び受信者として伝言メッセージサーバ８０に転送される。すでに確認した既読メールであっても受信者であるユーザが備忘録的に再生端末３１，３２，３３，３４で再生させたいメールがあった場合、メールシステム８３にてメールの既読状態を未読状態としておくことで、伝言メッセージサーバ８０に転送されるメールとして識別される。
【００６１】
伝言メッセージサーバ８０では、メールシステム８３から転送されてきたメールから送信者のＩＤ情報及び受信者のＩＤ情報を抽出して、文字データ又は音声データからなるメッセージと対応付けて、各種のメッセージデータからなる伝言メッセージテーブル（図示せず、前述のようにコントローラ５０の伝言メッセージテーブルＴに対応するものである）として登録する。コントローラ５０は、ネットワークＮを介して伝言メッセージサーバ８０から上述のメールシステム８３より転送された伝言メッセージを受信し、当該伝言メッセージを伝言メッセージテーブルＴに登録させる。
【００６２】
伝言メッセージの再生の際には、「未読  ［伝言］明日の持ち物」は文字データからなる伝言メッセージであるため音声読み上げ部５４によりメール件名及びメール本文が読み上げられ、「未読  ［伝言］録音メッセージ」は音声データからなる伝言メッセージであるため添付されていた音声データがそのまま再生される。
【００６３】
図３は、重み付け記憶エリア５２１の記憶内容を示す概念図である。重み付け記憶エリア５２１には、キーワードと、そのキーワードについて再生端末３１，３２，３３，３４が設置された各エリアでの重み付け値が設定されている。重み付け値は０〜５で設定され、「５」は優先度が最も高く、「０」は優先度が最も低い。再生場所に関係なく優先的に伝達したい伝言メッセージについては「最優先」となるキーワード（例えば、「大事」）を含めればよい。
【００６４】
図４（ａ）は、施錠装置２３の施解錠の際に電子キー２６の認証で用いられるＩＤコードについて、コントローラ５０の記憶部５２に登録されたＩＤコードの一例を示す図である。図４（ａ）に示されるように、それぞれのＩＤコードに対応させて、居住者の音声情報と、登録名とが登録されている。音声情報としては、規定ワードの音声（例えば、伝言メッセージを再生させるための音声コマンド（例：「メッセージ  再生」）等）を登録するとよい。伝言メッセージを再生させる際に再生端末３１，３２，３３，３４のマイク３１１，３２１，３３１，３４１に対して、その規定ワード（音声コマンド）を発することにより話者認証が実施される。登録名は、上述したように音声により伝言メッセージの録音を行う場合に受信者を指定する際などに使用される。音声情報及び登録名はＩＤコードに対応づけられているため、本実施形態ではＩＤコードで伝言メッセージを管理する。
【００６５】
図４（ｂ）は、伝言メッセージ再生システム２０で用いられる伝言メッセージテーブルＴの構成の一例を示す図である。図４（ｂ）に例示するように、伝言メッセージテーブルＴでは、伝言メッセージは、ＩＤコードの各々に対応させて、少なくとも、音声データ又は文字データのいずれかのデータ形式で登録されている。なお、図４（ｂ）に例示するＩＤコードは、図４（ａ）の電子キー２６の認証用として記憶部５２に登録されているＩＤコードと同じである。
【００６６】
伝言メッセージテーブルＴに登録された伝言メッセージは、制御部５１により重み付け記憶エリア５２１に設定されたキーワードを含むか否かを判定される。伝言メッセージが設定されたキーワードを含んでいた場合は、伝言メッセージに対応させて、それぞれの再生場所における優先度を決定するための重み付け値が付けられる。
【００６７】
したがって、伝言メッセージテーブルＴに登録された伝言メッセージにおいて、重み付け記憶エリア５２１に設定されたキーワードが含まれている場合、各再生場所での重み付け値が付されている。なお、「夕食のおかず」のように、「夕食」と「おかず」との２つのキーワードが含まれている場合は、最先のキーワードが優先される。そして、同じ重み付けの伝言メッセージがある場合はメッセージの登録された時間の早い方から優先される。
【００６８】
次に、コントローラ５０の制御部５１により実行される居住者の帰宅時における玄関１２での伝言メッセージ再生の制御処理の内容について図５に基づいて説明する。図５は、制御処理の流れを示すフローチャートである。
【００６９】
図５に示すように、まずステップＳ１１では、通信装置２５を介して電子キー２６より受信したＩＤ情報の認証処理を行う。この認証処理では、通信装置２５からのリクエスト信号の応答として電子キー２６より送信されるＩＤ情報が予め記憶されているＩＤ情報と一致しているか否かを認証（判定）する。認証処理の結果、電子キー２６からのＩＤ情報が予め記憶されているＩＤ情報と一致していない場合、すなわち認証ＮＧの場合には、ステップＳ１１をＮＯ判定して本処理を終了する。一方、電子キー２６からのＩＤ情報が予め記憶されているＩＤ情報と一致している場合、すなわち認証ＯＫの場合には、ステップＳ１１をＹＥＳ判定してステップＳ１２に進む。
【００７０】
ステップＳ１２では、電子キー２６の認証後、一定時間以内に玄関ドア２２が開いてその後閉じたか否かを判定する。タイマ５５による時間計測に基づき一定時間以内に玄関ドア２２が開いてその後閉じた場合、ステップＳ１２をＹＥＳ判定して、ステップＳ１３に進む。一定時間以内に玄関ドア２２が開閉されなかった場合、ステップＳ１２をＮＯ判定して本処理を終了する。なお、ステップＳ１２をＮＯ判定した場合には、施錠装置２３の施錠処理が実行される。ステップＳ１２で電子キー２６の認証後の一定時間以内に玄関ドア２２が開いてその後閉じたことが検知されることで、認証された居住者が玄関ドア２２の屋内側に進入したと判断される。
【００７１】
ステップＳ１３では、電子キー２６により認証された居住者を受信者とする伝言メッセージがあるか否かを判定する。伝言メッセージテーブルＴから認証された居住者のＩＤで受信者のソートをした結果、認証された居住者を受信者とする伝言メッセージの有無が判断される。伝言メッセージがある場合、ステップＳ１３をＹＥＳ判定して、ステップＳ１４に進む。伝言メッセージがない場合、ステップＳ１３をＮＯ判定してステップＳ１９へ進む。
【００７２】
ステップＳ１９では、「伝言メッセージはありません」とのガイドメッセージがスピーカ３１２を通じて再生されて、居住者に伝言メッセージがないことが通知される。ガイドメッセージによる通知後、本処理を終了する。
【００７３】
ステップＳ１４では、電子キー２６により認証された居住者を受信者とする伝言メッセージについて、重み付け値により玄関１２での伝言メッセージの再生順序を決定する。
【００７４】
例えば、帰宅した居住者が子Ａの場合、図４（ｂ）の伝言メッセージテーブルＴに登録された伝言メッセージにおいて、子Ａを受信者とする伝言メッセージは５件（番号２，３，４，５，７）ある。これらの伝言メッセージにおいて、玄関１２での再生の重み付け値は、番号５が「４」であり、番号７が「３」であり、番号２，３が「２」であり、番号４が「１」である。よって、玄関１２での再生順序としては、番号５，７，２，３，４の順で伝言メッセージが再生されることになる。
【００７５】
ステップＳ１５では、ステップＳ１４で決定した再生順序に従って、電子キー２６により認証された居住者を受信者とする伝言メッセージの再生をスピーカ３１２を通じて開始する。この場合、音声データによる伝言メッセージは音声のまま、文字データによる伝言メッセージは音声読み上げ部５４による音声データへの変換を行い、スピーカ３１２を通じて音声として再生される。この際、認証された居住者への伝言メッセージの一覧を表示部３１４に表示してもよい。
【００７６】
ステップＳ１６では、玄関１２（玄関ドア２２の屋内側）に設けられた人感センサ４１による検出信号に基づいて、人感センサ４１により人の存在が検出されているか否かを判定する。人感センサ４１により人の存在が検出されている場合、すなわち玄関１２付近（玄関ドア２２の屋内側）に電子キー２６により認証された居住者が存在している場合、ステップＳ１６をＹＥＳ判定して、ステップＳ１７に進む。人感センサ４１により人の存在が非検出の場合、すなわち玄関ドア２２付近に電子キー２６により認証された居住者が存在していない場合、ステップＳ１６をＮＯ判定してステップＳ２０へ進む。
【００７７】
ステップＳ２０では、伝言メッセージの再生を中断し、ステップＳ２１へ進む。
【００７８】
ステップＳ１７では、再生端末３１に設けられたメッセージを停止するための停止ボタン３１５が押されたか否かを判定する。停止ボタン３１５が押された場合、ＹＥＳ判定してステップＳ２０へ進む。停止ボタン３１５が押されていない場合、ＮＯ判定して伝言メッセージの再生を継続し、ステップＳ１８へ進む。
【００７９】
ステップＳ１８では、電子キー２６により認証された居住者を受信者とする伝言メッセージの再生が終了したか否かを判定する。伝言メッセージの再生が終了した場合、ステップＳ１８をＹＥＳ判定して、ステップＳ２２へ進む。伝言メッセージの再生が終了していない場合、ステップＳ１８をＮＯ判定してステップＳ１６へ戻り、ステップＳ１６〜Ｓ１８の各処理を繰り返す。
【００８０】
ステップＳ２０で伝言メッセージの再生を中断した後、ステップＳ２１へ進み、ステップＳ２１では、電子キー２６により認証された居住者を受信者とする伝言メッセージのうち、未再生の伝言メッセージがあるか否かを判定する。未再生の伝言メッセージがない場合、ステップＳ２１をＮＯ判定してステップＳ２２へ進む。未再生の伝言メッセージがある場合、ステップＳ２１をＹＥＳ判定して、ステップＳ２４に進む。
【００８１】
なお、本実施形態では、停止ボタン３１５，３２５，３３５，３４５を押して、又は再生場所（玄関１２、リビング１３、キッチン１５、洗面室１７）から居住者がいなくなって伝言メッセージの再生が停止した場合、中断された伝言メッセージは「未再生の伝言メッセージ」として区分される。したがって、上記ステップＳ１６で玄関１２から居住者が立ち去った場合、又はＳ１７で停止ボタン３１５を押されて伝言メッセージの再生が停止した場合、その停止時に再生されていた伝言メッセージは「未再生の伝言メッセージ」とされる。
【００８２】
ステップＳ２２では、伝言メッセージテーブルＴに登録された伝言メッセージにおいて、未再生の伝言メッセージがあるか否かを判定する。なお、ステップＳ２２では、受信者は特定されず、未再生の伝言メッセージの有無について判定する。未再生の伝言メッセージがない場合、ステップＳ２２をＮＯ判定してステップＳ２３へ進む。未再生の伝言メッセージがある場合、ステップＳ２２をＹＥＳ判定して、ステップＳ２４に進む。
【００８３】
ステップＳ２３では、伝言メッセージがあることを通知するために点滅している表示灯３１７，３２７，３３７，３４７を消灯する。表示灯３１７，３２７，３３７，３４７を消灯させることにより、居住者は再生端末３１，３２，３３，３４を見るだけで伝言メッセージがないことが確認できる。表示灯３１７，３２７，３３７，３４７の消灯後、ステップＳ２４へ進む。
【００８４】
未再生の伝言メッセージがまだある場合（ステップＳ２１及びステップＳ２２のＹＥＳ判定）、又は表示灯３１７，３２７，３３７，３４７の消灯（ステップＳ２３）後、ステップＳ２４へ進む。ステップＳ２４では、再生済みの伝言メッセージの削除処理を実施する。これにより、未再生の伝言メッセージがある場合に、一度聞いた伝言メッセージが再度再生されることを回避できる。再生済み伝言メッセージを削除した後、本処理を終了する。
【００８５】
すなわち、再生済みの伝言メッセージは、未再生の伝言メッセージと区分され、再生済みの伝言メッセージは伝言メッセージテーブルＴより削除される。「未再生の伝言メッセージ」と区分された伝言メッセージは、次回の伝言メッセージ再生の際の再生対象である。
【００８６】
以上のように、電子キー２６の認証により、帰宅した居住者が特定され、その後、帰宅した居住者は玄関１２に進入する。したがって、重み付け記憶エリア５２１に設定された玄関１２での再生における重み付けによる再生順序に従って、まず玄関１２に設けられた再生端末３１により伝言メッセージが再生される。そして、再生中、帰宅した居住者が移動して玄関１２よりいなくなったり、停止ボタン３１５が押されると、伝言メッセージの再生が停止される。
【００８７】
そして、伝言メッセージの再生が停止された後、未再生の伝言メッセージがある場合は住居内の再生端末３１，３２，３３，３４に設けられた表示灯３１７，３２７，３３７，３４７が点滅したままとなるが、未再生の伝言メッセージがない場合は表示灯３１７，３２７，３３７，３４７が消灯される。そのため、居住者は移動した先に設けられた再生端末３１，３２，３３，３４の表示灯３１７，３２７，３３７，３４７を確認することで伝言メッセージの有無が確認できる。
【００８８】
次に、コントローラ５０の制御部５１により実行される玄関１２、リビング１３、キッチン１５及び洗面室１７における伝言メッセージ再生の制御処理の内容について図６に基づいて説明する。図６は、制御処理の流れを示すフローチャートである。なお、居住者は玄関１２から立ち去った後、再び玄関１２へ戻ってきて伝言メッセージを聞く場合もあるため、図６のフローチャートは玄関１２の再生端末３１の制御処理も含まれる。
【００８９】
図６に示すように、まずステップＳ３１では、マイク３１１，３２１，３３１，３４１（再生端末３１，３２，３３，３４）を通じて伝言メッセージを再生させるための音声コマンド（例えば「メッセージ  再生」）が入力されたか否かが判定される。音声コマンドが入力された場合、ＹＥＳ判定してステップＳ３２へ進む。音声コマンドが入力されていない場合、ＮＯ判定して本処理を終了する。
【００９０】
ステップＳ３２では、音声コマンドの音声に基づいて話者認証処理を行う。この話者認証処理では、マイク３１１，３２１，３３１，３４１により吹き込まれた音声コマンドの音声が予め記憶されている音声情報と一致しているか否かを認証（判定）する。認証処理の結果、音声コマンドの音声が予め記憶されている音声情報と一致していない場合、すなわち認証ＮＧの場合には、ステップＳ３２をＮＯ判定して本処理を終了する。一方、音声コマンドの音声が予め記憶されている音声情報と一致している場合、すなわち認証ＯＫの場合には、ステップＳ３２をＹＥＳ判定してステップＳ３３に進む。
【００９１】
ステップＳ３３では、音声コマンドの入力先に基づき、伝言メッセージの再生場所が決定される。すなわち、ステップＳ３１における音声コマンドが入力された再生端末３１，３２，３３，３４の設けられた場所が伝言メッセージの再生場所として判断される。
【００９２】
ステップＳ３４では、音声により認証された居住者を受信者とする伝言メッセージ（未再生）があるか否かを判定する。伝言メッセージテーブルＴから認証された居住者のＩＤで受信者のソートをした結果、認証された居住者を受信者とする未再生の伝言メッセージの有無が判断される。未再生の伝言メッセージがある場合、ステップＳ３４をＹＥＳ判定して、ステップＳ３５に進む。未再生の伝言メッセージがない場合、ステップＳ３４をＮＯ判定してステップＳ４０に進む。
【００９３】
ステップＳ４０では、「伝言メッセージはありません」とのガイドメッセージが、音声コマンドの入力された再生端末３１，３２，３３，３４のスピーカ３１２，３２２，３３２，３４２より再生されて、居住者に伝言メッセージがないことが通知される。ガイドメッセージによる通知後、本処理を終了する。
【００９４】
ステップＳ３５では、音声コマンドの入力先に基づき、伝言メッセージの再生順序が決定される。すなわち、音声により認証された居住者を受信者とする伝言メッセージについて、音声コマンドが入力された再生端末３１，３２，３３，３４を再生場所として、伝言メッセージの再生順序を重み付け値により決定する。
【００９５】
ステップＳ３６では、ステップＳ３５で決定した再生順序に従って、ステップＳ３３で決定された再生場所に設置された再生端末３１，３２，３３，３４（音声コマンドが入力された再生端末３１，３２，３３，３４）で、音声により認証された居住者を受信者とする伝言メッセージの再生を開始する。例えば、音声コマンドの入力先が再生端末３４であった場合は再生端末３４のスピーカ３４２を通じて伝言メッセージが再生される。
【００９６】
この場合、音声データによる伝言メッセージは音声のまま、文字データによる伝言メッセージは音声読み上げ部５４による音声データへの変換を行い、スピーカ３１２，３２２，３３２，３４２を通じて音声として再生される。この際、伝言メッセージを再生している再生端末３１，３２，３３，３４の表示部３１４，３２４，３３４，３４４において、認証された居住者への伝言メッセージの一覧を表示してもよい。
【００９７】
ステップＳ３７では、伝言メッセージの再生されている場所に設けられた人感センサ４１，４２，４３，４４による検出信号に基づいて、人感センサ４１，４２，４３，４４により人の存在が検出されているか否かを判定する。例えば、再生端末３４で伝言メッセージが再生されている場合は、人感センサ４４による検出結果により判定される。人感センサ４１，４２，４３，４４により人の存在が検出されている場合、すなわち再生場所付近には音声により認証された居住者が存在している場合、ステップＳ３７をＹＥＳ判定して、ステップＳ３８に進む。人感センサ４１，４２，４３，４４により人の存在が非検出の場合、すなわち再生場所付近に音声により認証された居住者が存在していない場合、ステップＳ３７をＮＯ判定してステップＳ４１へ進む。
【００９８】
ステップＳ４１では、伝言メッセージの再生を中断し、ステップＳ４２へ進む。
【００９９】
ステップＳ３８では、伝言メッセージが再生されている再生端末３１，３２，３３，３４に設けられた停止ボタン３１５，３２５，３３５，３４５が押されたか否かを判定する。停止ボタン３１５，３２５，３３５，３４５が押された場合、ＹＥＳ判定してステップＳ４１へ進む。停止ボタン３１５，３２５，３３５，３４５が押されていない場合、ＮＯ判定して伝言メッセージの再生を継続し、ステップＳ３９へ進む。
【０１００】
ステップＳ３９では、音声により認証された居住者を受信者とする伝言メッセージの再生が終了したか否かを判定する。伝言メッセージの再生が終了した場合、ステップＳ３９をＹＥＳ判定して、ステップＳ４３へ進む。伝言メッセージの再生が終了していない場合、ステップＳ３９をＮＯ判定してステップＳ３７へ戻り、ステップＳ３７〜Ｓ３９の各処理を繰り返す。
【０１０１】
ステップＳ４１で伝言メッセージの再生を中断した後ステップＳ４２へ進み、ステップＳ４２では、音声により認証された居住者を受信者とする伝言メッセージのうち、未再生の伝言メッセージがあるか否かを判定する。未再生の伝言メッセージがない場合、ステップＳ４２をＮＯ判定してステップＳ４３へ進む。未再生の伝言メッセージがある場合、ステップＳ４２をＹＥＳ判定して、ステップＳ４５に進む。
【０１０２】
ステップＳ４３では、伝言メッセージテーブルＴに登録された伝言メッセージにおいて、未再生の伝言メッセージがあるか否かを判定する。なお、ステップＳ４３では、受信者は特定されず、未再生の伝言メッセージの有無について判定する。未再生の伝言メッセージがない場合、ステップＳ４３をＮＯ判定してステップＳ４４へ進む。未再生の伝言メッセージがある場合、ステップＳ４３をＹＥＳ判定して、ステップＳ４５に進む。
【０１０３】
ステップＳ４４では、伝言メッセージがあることを通知するために点滅している表示灯３１７，３２７，３３７，３４７を消灯する。表示灯３１７，３２７，３３７，３４７を消灯させることにより、居住者は再生端末３１，３２，３３，３４を見るだけで伝言メッセージがないことが確認できる。表示灯３１７，３２７，３３７，３４７の消灯後、ステップＳ４５へ進む。
【０１０４】
未再生の伝言メッセージがまだある場合（ステップＳ４２及びステップＳ４３のＹＥＳ判定）、又は表示灯３１７，３２７，３３７，３４７の消灯（ステップＳ４４）後、ステップＳ４５へ進む。ステップＳ４５では、再生済みの伝言メッセージの削除処理を実施する。これにより、未再生の伝言メッセージがある場合に、一度聞いた伝言メッセージが再度再生されることを回避できる。再生済み伝言メッセージを削除した後、本処理を終了する。
【０１０５】
すなわち、ステップＳ３１のマイク３１１，３２１，３３１，３４１を通じた音声コマンドの入力により、続くステップＳ３２及びＳ３３で伝言メッセージの受信者（音声コマンドの入力者）及び再生場所が特定される。そして、重み付け記憶エリア５２１に設定されたその再生場所における重み付けにより再生順序が決定され、その再生場所に設けられた再生端末３１，３２，３３，３４により伝言メッセージが再生される。そして、再生中、音声認証された居住者が移動して、その再生場所よりいなくなったり、停止ボタン３１５，３２５，３３５，３４５が押されると、伝言メッセージの再生が停止される。
【０１０６】
そして、伝言メッセージの再生が停止された後、未再生の伝言メッセージがある場合は住居内の再生端末３１，３２，３３，３４に設けられた表示灯３１７，３２７，３３７，３４７が点滅したままとなるが、未再生の伝言メッセージがない場合は表示灯３１７，３２７，３３７，３４７が消灯される。そのため、居住者は移動した先に設けられた再生端末３１，３２，３３，３４の表示灯３１７，３２７，３３７，３４７を確認することで伝言メッセージの有無が確認できる。
【０１０７】
図６のフローチャートについて、上述した玄関１２での子Ａへの伝言メッセージの再生が子Ａの移動により中断されたとして説明をする。
【０１０８】
玄関１２において子Ａに対する伝言メッセージは、番号５が再生され、２件目の番号７の伝言メッセージの再生が中断されたとする。この場合、番号７，２，３，４の伝言メッセージが未再生として認識される。
【０１０９】
子Ａは玄関１２から移動した後、洗面室１７にて再生端末３４に対して音声コマンドの入力を実施したとする。これら４件の伝言メッセージにおいて、洗面室１７での再生の重み付け値は、番号４が「４」であり、番号７が「２」であり、番号２及び３が「１」である。よって、洗面室１７での再生順序としては、番号４，７，２，３の順で伝言メッセージが再生されることになる。
【０１１０】
そして、洗面室１７で番号４の伝言メッセージのみを聞いた後、キッチン１５へ移動して、キッチン１５に設けられた再生端末３３に音声コマンドの入力を実施したとする。この場合、未再生として残された伝言メッセージは、番号７，２，３の３件である。これらの伝言メッセージにおいて、キッチン１５での再生の重み付け値は、番号２及び３が「４」であり、番号７が「１」である。したがって、キッチン１５での再生順序としては、番号２，３，７の順で伝言メッセージが再生されることになる。
【０１１１】
または、子Ａが玄関１２から移動した後、リビング１３にて再生端末３２に対して音声コマンドの入力を実施した場合は、番号７（重み付け値「４」），２（重み付け値「３」），３（重み付け値「３」），４（重み付け値「２」）の順で伝言メッセージが再生される。
【０１１２】
以上、詳述した本実施形態の構成によれば、以下の優れた効果が得られる。
【０１１３】
本実施形態によれば、居住者の住居内の位置に基づいて伝言メッセージの再生順序が自動で並び替わる。伝言メッセージの内容によっては、住居内の特定の位置で伝達されることがより有効な伝達方法という場合がある。例えば、食器洗いに関する伝言メッセージであればキッチン１５で伝えられることが好ましく、洗濯物に関する伝言メッセージであれば洗濯機の設けられた洗面室１７で伝えられることが好ましく、郵便物に関する伝言メッセージであれば玄関１２付近で伝えられることが好ましく、テレビの録画に関する伝言メッセージであればテレビの設けられたリビング１３で伝えられることが好ましい。
【０１１４】
本実施形態では、住居内の場所に関係するキーワードが複数設定されており、キーワードごとに住居内の再生場所の優先度（重み）が設定されている。これにより、居住者の住居内での位置に基づき、伝言メッセージの内容と照らし合わせて伝言メッセージの再生順序を並べ変えることができる。
【０１１５】
すなわち、本実施形態では、居住者の住居内での位置と伝言メッセージの内容（キーワードにより判別）とに基づいて、伝言メッセージの再生順序が並び替えられ、その位置で伝達した方がより効果的であると判断される伝言メッセージから優先的に伝達される。これにより、伝言メッセージを伝達された居住者が伝達された事項をすぐにその場で実行できるため作業性に優れ、時間の節約にもなりうる。また、例えば玄関１２で伝言メッセージを聞いた場合、その後住居内を移動しているうちに伝言メッセージで依頼された事項を忘れてしまうということがありうる。本実施形態によれば、伝言メッセージの内容に関係する場所で伝言メッセージが伝達されうるため、このような依頼事項の物忘れを回避できることが期待でき、備忘録的な役割を果たすこともできる。
【０１１６】
本実施形態によれば、施錠装置２３の施解錠のための電子キー認証と、話者認証とにより、個々の居住者に対応する伝言メッセージが登録でき、居住者が帰宅した際の玄関及び住居内の特定の場所で、その居住者に対応する伝言メッセージが再生され伝達される。
【０１１７】
本実施形態によれば、話者認証のための音声を再生端末３１，３２，３３，３４に設けられたマイク３１１，３２１，３３１，３４１に入力することで、居住者の識別が実施されるとともに、音声の入力された再生端末３１，３２，３３，３４の設置場所に居住者が存在していることが判断されうる。すなわち、話者認証のための音声入力により住居内での人の位置が判断できるため、再生端末３１，３２，３３，３４は音声認識と同時に位置検知手段として作用しうる。よって、話者認証により居住者の認証と、居住者の位置検知との２つが同時に実施されるため、利便性に優れる。
【０１１８】
さらに本実施形態によれば、話者認証のための音声入力が伝言メッセージの再生を促す音声コマンド（例えば、「伝言メッセージ  再生」）であるため、話者認証により再生リクエストを実施することができる。よって、話者認証により、居住者の認証と居住者の位置検知とに加えて、再生リクエストも実施でき、本実施形態によればこれらの３つが同時に実施されうる。これにより、住居内で個人を特定するための電子キー２６を携帯しなくても、居住者が音声コマンドを発するだけで伝言メッセージが適切に再生できる。居住者が自身で判断して音声コマンドを発するため、居住者が再生をしたくない状況下では再生されず、状況に応じて伝言メッセージの再生を実施できることも利点である。
【０１１９】
本実施形態によれば、伝言メッセージがその場にいる居住者に対して再生されている途中で、居住者がその場から立ち去った場合、伝言メッセージの再生が停止する。また、再生済みの伝言メッセージは再生の対象から除外され、伝言メッセージの再生時には、未再生の伝言メッセージを対象とした伝言メッセージの再生順序が決定されて、その再生順序に従って未再生の伝言メッセージが再生される。これにより、次の伝言メッセージの再生時において、伝言メッセージの重複した再生が回避できるだけでなく、その場で伝達するのが最適である伝言メッセージが再生されやすくなる。
【０１２０】
例えば、再生対象の伝言メッセージが複数ある場合において、ある再生場所で、その場の優先度（重み付け値）の高い伝言メッセージがまず再生され、その次にその場での優先度が比較的低い伝言メッセージが再生される。居住者が優先度の高い伝言メッセージだけを聞いてその再生場所を立ち去った場合、伝言メッセージの再生は停止され、比較的優先度の低い伝言メッセージは「未再生の伝言メッセージ」として区分される。そして、その場で比較的優先度の低かった伝言メッセージは次の再生場所において優先度（重み付け値）の高い伝言メッセージとなる場合がある。この場合、この伝言メッセージは先の再生場所よりも次の再生場所で伝達される方が居住者にとって有効性が高いといえる。
【０１２１】
このように、本実施形態によれば、居住者が伝言メッセージの再生場所から立ち去った場合、伝言メッセージの再生を停止し、再生済みの伝言メッセージについては再生対象から除外する。これにより、次の再生場所において伝言メッセージを重複して聞くことなく、その場で伝達されるのに適切な伝言メッセージが再生されやすい。また、居住者が再生場所を立ち去った場合には伝言メッセージの再生が停止し、次の再生場所で伝言メッセージが伝達されるため、伝言メッセージを確実に居住者に伝達しやすいという利点もある。
【０１２２】
本発明は上記実施形態に限らず、例えば次のように実施されてもよい。
【０１２３】
（１）上記実施形態では、居住者の帰宅時における玄関１２での認証を電子キー２６で実施しているが、帰宅時の玄関１２においても、リビング１３、キッチン１５及び洗面室１７と同様にして、再生端末３１のマイク３１１を通じた話者認証で居住者の識別を実施して伝言メッセージの再生をしてもよい。また、電子キー認証及び話者認証ではなく、指紋認証や顔認証等のその他の認証により居住者の識別を行ってもよく、認証方法は特に制限されない。
【０１２４】
（２）上記実施形態では、４つの所定の再生場所と、複数のキーワード及び各キーワードの再生場所についての重み付け値とを例示したが、再生場所、キーワード及び重み付け値はこれに制限されない。すなわち、本発明の特徴としては、居住者の住居内での位置と伝言メッセージの内容（キーワードにより判別）とに基づいて、伝言メッセージの再生順序が自動で並び替えられ、その位置で伝達した方がより効果的であると判断される伝言メッセージから優先的に伝達できることである。そのため、住居内での場所及びキーワードは特に限定されず、適宜設定及び追加することができる。
【０１２５】
例えば、帰宅後にリビング１３やキッチン１５に立ち寄らずに部屋へ行く居住者に対しては、その居住者の部屋に再生端末を設置することもできる。
【０１２６】
上記実施形態ではリビング１３に再生端末３２を設けているが、例えば、リビング１３ではなくダイニング１４側に再生端末を設けてもよい。または、リビング１３に設けられた人感センサ４２の検知エリアをダイニング１４部分まで広げて、リビング１３だけでなくダイニング１４にいる場合も伝言メッセージの再生を継続するようにしてもよい。
【０１２７】
上記実施形態では複数の再生端末３１，３２，３３，３４を設けたが、例えば、居住者の住居内での位置が検知できれば、玄関１２又はリビング１３等に再生端末が一つ設置されるだけでもよい。この場合、住居内の居住者のいる場所に応じて伝言メッセージが並び替えられて、再生音量を大きくする等により、居住者に聞こえるように伝言メッセージが再生されればよい。
【０１２８】
（３）上記実施形態では、位置検知手段として住居内の各場所に設置された再生端末３１，３２，３３，３４を用いたが、例えば、人感センサ４１，４２，４３，４４を位置検知手段としてもよい。この場合、居住者を識別する手段として、例えば、指紋認証や顔認証等を実施する装置を伝言メッセージの再生場所に設置すれば、上記実施形態と同様の効果が期待できる。
【０１２９】
（４）上記実施形態では、伝言メッセージを登録するための録音ボタン３１６，３２６，３３６，３４６を用いたが、例えば、マイク３１１，３２１，３３１，３４１に向かって伝言メッセージを録音するための音声コマンド（例えば、「メッセージ  録音」）を発する等の音声操作により伝言メッセージの登録を開始させてもよい。当該実施形態では、両手がふさがっていても伝言メッセージの録音ができる。
【０１３０】
（５）上記実施形態では、伝言メッセージの再生を停止するための停止ボタン３１５，３２５，３３５，３４５を設け、これにより伝言メッセージの再生が中断可能であるとしたが、例えば、マイク３１１，３２１，３３１，３４１に向かって伝言メッセージを停止するための音声コマンド（例えば、「メッセージ  ストップ」）を発する等の音声操作により伝言メッセージの再生を中断させてもよい。当該実施形態では、両手がふさがっていても伝言メッセージの再生を中断させることができる。
【０１３１】
（６）上記実施形態では、停止ボタン３１５，３２５，３３５，３４５を押した場合、及び伝言メッセージの再生場所から居住者がいなくなった場合、伝言メッセージの再生がすぐに停止している。すなわち、メッセージの途中であった場合でも即座に停止されているが、例えば、伝言メッセージの中断は伝言メッセージ単位としてもよい。具体的には、再生中の伝言メッセージはメッセージの最後まで再生し、次の順番である伝言メッセージの再生から停止する方法である。
【０１３２】
伝言メッセージ単位で伝言メッセージを停止する場合において、停止ボタン３１５，３２５，３３５，３４５が押されたり、居住者が立ち去った際に再生されていた伝言メッセージを「再生済み」又は「未再生」に区分するかは特に制限されない。例えば、停止ボタン３１５，３２５，３３５，３４５が押されたり、居住者が立ち去った際に再生されていた伝言メッセージを「未再生の伝言メッセージ」として取り扱ってもよい。又は、停止ボタン３１５，３２５，３３５，３４５が押されたり、居住者が立ち去った際に再生されている伝言メッセージが、その再生時間の４分の３未満の再生時であった場合は「未再生の伝言メッセージ」とし、その再生時間の４分の３が再生された以降であった場合は「再生済みの伝言メッセージ」としてもよい。
【０１３３】
（７）上記実施形態では、再生済みの伝言メッセージを伝言メッセージテーブルＴより削除したが、例えば、伝言メッセージは伝言メッセージテーブルＴにおいて、再生済みの伝言メッセージと未再生の伝言メッセージとを区分すればよく、再生済みの伝言メッセージは必ずしも削除しなくてもよい。この場合、再生済み伝言メッセージを再生対象から除外し、伝言メッセージを再生する場合には未再生の伝言メッセージのみを対象として実施するようにすればよい。
【０１３４】
（８）上記実施形態では、伝言メッセージの有無を示すために表示灯３１７，３２７，３３７，３４７の点滅を用いたが、例えば、伝言メッセージがある場合に再生端末３１，３２，３３，３４にそれぞれ設けられた表示部３１４，３２４，３３４，３４４のバックライトが点滅したり、伝言メッセージの有無によってバックライトの色を変える等により居住者に対して伝言メッセージの有無について通知できるようにすればよい。
【０１３５】
上記実施形態では、表示灯３１７，３２７，３３７，３４７の点滅により伝言メッセージの有無のみを通知したが、例えば表示灯３１７，３２７，３３７，３４７が４色で光ることができ、居住者ごとに色を割り当て、伝言メッセージのある居住者の色を順に点滅させることで、居住者ごとに伝言メッセージの有無が確認できるようにしてもよい。
【０１３６】
（９）上記実施形態では、住宅１０の居住者同士の伝言メッセージ再生システム２０として説明したが、携帯電話端末８１及びパソコン端末８２から伝言メッセージサーバ８０を介して伝言メッセージを登録できるため、その登録者は特に限定されない。また、上記実施形態では伝言メッセージの受信者が特定の一人となっているが、受信者を複数とする伝言メッセージも登録されうる。
【０１３７】
（１０）上記実施形態では、パソコンのメールシステム８３においてメールを未読にすることで伝言メッセージサーバ８０へ送信されることを述べた。例えば伝言メッセージ再生システム２０の他の機能として、登録された伝言メッセージについて、登録有効期間や再生有効回数を予め設定しておき、登録有効期間を経過した場合や、再生有効回数だけ再生された場合には、該伝言メッセージを自動消去してもよい。
【０１３８】
また、居住者が伝言メッセージを登録するだけでなく、予め登録された定型の伝言メッセージの複数のうち、いずれか選択された伝言メッセージを再生するようにしてもよい。
【符号の説明】
【０１３９】
１０…住宅、２０…伝言メッセージ再生システム、３１…再生端末、３２…再生端末、３３…再生端末、３４…再生端末、４１…人感センサ、４２…人感センサ、４３…人感センサ、４４…人感センサ、５０…コントローラ、５１…制御部、５２…記憶部、５３…音声認識部。
【図１】
2019121827.tif 000003
【図２】
2019121827.tif 000004
【図３】
2019121827.tif 000005
【図４】
2019121827.tif 000006
【図５】
2019121827.tif 000007
【図６】
2019121827.tif 000008